(57)【要約】【課題】  施錠状態あるいは開錠状態が、手元の鍵で容易に確認することができる、簡易で汎用性のある、一般の鍵にも容易に適用できる鍵を提供することを課題とする。【解決手段】  本発明の鍵は、鍵のツマミ部に所定方向に固定され、その内部に、施錠あるいは開錠の状態を示す表示手段と、当該表示状態の変更手段と、当該変更を所定時に可能にする制御手段を持つコンポーネントと、当該制御の起動手段を対応する錠の鍵穴周囲の回転部分に設けたもので、当該内部には軸に支持されて鉛直面内で動く所定重量の表示記号等が付された表示体と、鍵が所定角度に回動されて以降に表示体と当接させる梁を持ち、梁の当接で生ずる表示体の傾きを利用して表示状態を変更させ、設けられた窓から表示記号等を確認できる簡易な汎用構造とした。更に、当該変更が鍵の操作時にのみ行われることを目的とした、同様に、簡易な汎用の制御構造を設けた。【選択図】    なし【特許請求の範囲】
【請求項１】
対応する錠の鍵穴に差し込み右方向あるいは左方向に所定角度の施錠端あるいは開錠端まで回動させて施錠状態あるいは開錠状態とした後、その位置であるいは差し込み位置に戻して引き抜くことで操作を完了させる鍵において、軸あるいは軸受けに支持されて動く施錠状態あるいは開錠状態を示す所定の重さを持つ表示体を、その内壁の所定位置に前記軸あるいは前記軸受および前記表示体と当接させる突起あるいは梁が設けられ外部から表示の状態が確認できる窓を所定位置に持つハウジングに収容してなるコンポーネントを、前記鍵のツマミ部に所定方向に固定した構造の鍵であって、当該構造の鍵を対応する錠の鍵穴に差し込み右方向あるいは左方向に施錠端あるいは開錠端まで回動させる時、所定角度以上で前記表示体が前記突起あるいは前記梁に当接され動きを拘束されて回転する時の前記表示体の傾きを利用して前記表示体の表示状態を変更させる表示状態変更手段を前記表示体に設けるとともに、対応する錠の鍵穴に回動可能に差し込まれている時に、前記表示体の表示状態の変更を可能にさせる表示状態変更制御手段を前記コンポーネントに設け、当該制御の制御起動手段を当該鍵穴周囲の回転部分に設けてなることを特徴とする施錠状態開錠状態表示機能付き鍵。
【請求項２】
前記表示体は、施錠状態あるいは開錠状態をそれが移動して停留する２つ位置のいずれに存在するかにより示す所定の重さを持つ移動表示器と前記移動表示器がその中にあって移動停留する空間を持つとともに前記空間の２つの停留位置に施錠状態と開錠状態に対応する表示記号あるいは表示色が付けられ、前記表示体が前記突起あるいは前記梁に動きを拘束されて回転する時に作られる前記表示体の傾きにより前記空間内の前記移動表示器が自重により他方の位置に移動することで表示状態を変更させる表示状態変更手段を構成したことを特徴とする請求項１に記載の施錠状態開錠状態表示機能付き鍵。
【請求項３】
前記表示体は、設けられたその軸の方向が前記軸あるいは前記軸受けの方向と一致しその円周上の所定の箇所にその中の一部は前記突起あるいは前記梁が当接するようにした歯が設けられ当該軸に支持された欠歯歯車状の回転表示器を有し、前記回転表示器が２つの保持位置を持つように拘束する板バネが前記表示体に取り付けられるとともに前記回転表示器に施錠状態と開錠状態に対応する表示記号あるいは表示色が付けられ、前記表示体が前記板バネと前記回転表示器を介して前記突起あるいは前記梁に当接されて回転する時に、前記表示体が前記板バネの拘束を押して前記回転表示器を当該の一歯分回転させて前記保持位置を他方に移し表示状態を変更させる表示状態変更手段を構成したことを特徴とする請求項１に記載の施錠状態開錠状態表示機能付き鍵。
【請求項４】
前記コンポーネントにおいて、施錠状態あるいは開錠状態を確認する時に、その方向から見ることを促すために、前記コンポーネントの外部にペットやキャラクターなどのフィギュアが取り付けられた構造、あるいは、前記コンポーネントの外部にペットやキャラクターなどの専用に準備されたフィギュアが交換可能なように取り付け取り外しできる構造としたことを特徴とする請求項１又は請求項２又は請求項３に記載の施錠状態開錠状態表示機能付き鍵。
【発明の詳細な説明】
【技術分野】
【０００１】  本発明は、施錠状態、開錠状態が手元の鍵で確認できるようにした鍵に関するものである。
【背景技術】
【０００２】  一般の鍵は、対応する錠の鍵穴に差し込み右方向あるいは左方向に所定角度の施錠端あるいは開錠端まで回動させて施錠状態あるいは開錠状態とした後、その位置であるいは差し込み位置に戻して引き抜くことで鍵の操作を完了するようになっている。【０００３】  施錠されたことを確認するために、ドアであればノブを引き、デスクや引違いのキャビネットなどであれば引出しや戸を引き、開かないことを確認することは習慣的行為とも言えるが、無意識で行っていることもあり、施錠操作の記憶も確認の記憶もはっきりしないといったことがよくある。このため、行為の確認をより確実にするため業務上で励行されている指差呼称（例えば、施錠操作の後に、指差して、鍵閉めよし、などと呼称する）を併せて行えばよいが、生活上で行うことはほとんど無く、励行は難しいと思われる。以上のようなことから、その場を離れた後に、施錠をしたかどうか記憶が曖昧な時には、その場に戻るまで不安を残したままでいるか、不安が強くなり直ちに引き帰して確認するといったこともある。前者の場合は、施錠忘があれば不測の事態を招く恐れもある。【０００４】  このような不安を解消するため、上述の操作を行う鍵に対して、鍵に施錠状態、開錠状態を表示するようにしたものが提案されている。例えば、特開平１０−２９２６８３号公報、あるいは、特開２００５−６１０９９号公報に鍵の構造が開示されている。【０００５】  前者は、鍵穴周囲の非回転部分の施錠位置と開錠位置に表示変更手段の一部としての磁石を設けるとともに、鍵の頭（ツマミ部）に取り付けられた鍵覆内にその磁石と吸引または反発する磁石を取り付けた回転板を設け、鍵の回動と連動して磁石の作用で回転板を回転させて、回転板に表示された開または閉の文字のいずれかを、鍵覆に設けられた窓を通して確認できるように構成されている。【０００６】  後者は、対応する鍵の鍵穴に差し込む挿入部を持つ鍵本体と、挿入状態で施錠あるいは開錠のために回動できるように鍵本体に把持部が取り付けられ、鍵本体を把持部に対して所定角度範囲内で回動できるように取り付けるとともに、鍵本体と把持部との相対位置変位により、施錠状態あるいは開錠状態を示す表示部を設けた構成とされている。
【特許文献１】  特開平１０−２９２６８３号公報
【特許文献２】  特開２００５−６１０９９号公報
【発明の開示】
【発明が解決しようとする課題】
【０００７】  特開平１０−２９２６８３号公報に記載の鍵に関しては、表示変更手段を鍵穴周囲の非回転部分と鍵側に分けて設けなければならないという構造や、当該手段が分けて設けられているために表示変更を円滑に行わせるための調整が必要になるなど、構造の複雑さの問題、既存の鍵への適用の難しさの問題があった。【０００８】  また、特開２００５−６１０９９号公報に記載の鍵に関しては、上記の発明の問題点を解決するために、簡易で汎用性のある構造を課題とし、通常の鍵での鍵穴に差し込む挿入部に相当するが、鍵本体と表現される挿入部と、通常の鍵では一体の操作上やや大き目のツマミ部（特開平１０−２９２６８３号公報では鍵の頭と表現されている）に相当するが、当該発明の工夫が施された別の把持部を鍵本体に所定の角度範囲で回動できるように取り付けられた、２つの部分が相対可動する連結構造としたものであった。実施形態によっては既存の鍵への適用の難しさが少なくなってはいるが、この構造から次の問題点があった。即ち、可動部のあるものは、それを可動させても特に支障が起きないようなものであれば、人間の習性としてついつい可動をさせてしまう、つまり、この構造の鍵は、手元にある時に不用意にも挿入部と把持部を逆方向に可動させて、表示状態を変更させてしまう危険があった。【０００９】  本発明は、施錠状態、開錠状態が手元で確認でき、施錠に関する上記の不安を解消できる鍵を提供することを目的とし、上記の開示されている発明の問題点に鑑みてなされたものであり、既存の鍵への適用が容易な構造であること、汎用性のある簡易な構造であること、鍵を使用しない時や手元にある時にも表示状態が変更されない構造であることを課題とする。
【課題を解決するための手段】
【００１０】  上記の問題点を解決するために、本発明の請求項１に記載の施錠状態開錠状態表示機能付き鍵は、対応する錠の鍵穴に差し込み右方向あるいは左方向に所定角度の施錠端あるいは開錠端まで回動させて施錠状態あるいは開錠状態とした後、その位置であるいは差し込み位置に戻して引き抜くことで操作を完了させる鍵において、軸あるいは軸受けに支持されて動く施錠状態あるいは開錠状態を示す所定の重さを持つ表示体を、その内壁の所定位置に前記軸あるいは前記軸受および前記表示体と当接させる突起あるいは梁が設けられ外部から表示の状態が確認できる窓を所定位置に持つハウジングに収容してなるコンポーネントを、前記鍵のツマミ部に所定方向に固定した構造の鍵であって、当該構造の鍵を対応する錠の鍵穴に差し込み右方向あるいは左方向に施錠端あるいは開錠端まで回動させる時、所定角度以上で前記表示体が前記突起あるいは前記梁に当接され動きを拘束されて回転する時の前記表示体の傾きを利用して前記表示体の表示状態を変更させる表示状態変更手段を前記表示体に設けるとともに、対応する錠の鍵穴に回動可能に差し込まれている時に、前記表示体の表示状態の変更を可能にさせる表示状態変更制御手段を前記コンポーネントに設け、当該制御の制御起動手段を当該鍵穴周囲の回転部分に設けてなることを特徴とするものである。【００１１】  本発明においては、前記制御起動手段（後に詳述するが、取り付けを容易にした簡易構造のもの）のみが鍵穴周囲の回転部分に設けられ、それ以外は全て前記コンポーネント内で完結され、且つ、前記コンポーネントを鍵のツマミ部に所定方向に固定して取り付けるだけの構造である。後に詳述するが、前記ハイジングの内壁に前記表示体と当接するように設けられる前記突起あるいは前記梁の位置は、鍵の仕様である、鍵の差し込み位置から施錠端あるいは開錠端までの、キー回転角度（大半は、右９０°左９０°あるいは右１８０°左１８０°）に応じて決められるが、それ以外は前記コンポーネント側で自由度をもって決めることができる。更には、対応する錠の鍵穴に回動可能に差し込まれている時に、前記表示体の表示状態の変更を可能にさせる前記表示状態変更制御手段および前記制御起動手段を備えている。以上の構成は、先述の課題、既存の鍵への適用が容易な構造であること、汎用性のある簡易な構造であること、鍵を使用しない時や手元にある時にも表示状態が変更されない構造であることの３つの課題を解決するものである。【００１２】  次に、本発明においての、施錠状態あるいは開錠状態を示す前記表示体の表示状態変更過程および施錠状態あるいは開錠状態の確認方法を以下に説明する。【００１３】  前記コンポーネントは鍵のツマミ部に所定方向に固定して取り付けられているが、この所定方向は、前記表示体を支持している前記軸あるいは前記軸受けが前記鍵の長手方向と一致する方向とされる。鍵穴の奥行方向は、通常、水平方向であり、従って、前記鍵が対応する錠の鍵穴に差し込まれた状態では前記軸あるいは前記軸受けは同じ水平方向にあり、これに支持された所定の重さの前記表示体は鉛直面内で動くことになる。前記鍵を対応する錠の鍵穴に差し込み施錠端あるいは開錠端まで回動させる時、前��鍵が所定角度に達するまでは前記突起あるいは前記梁が前記表示体に当接することは無く、前記表示体は自重を前記軸あるいは前記軸受けに支持されて鉛直方向にその位置を保っている。そして、前記鍵が所定角度に達した時から当接が始まり、それ以降、前記表示体は前記突起あるいは前記梁に当接され動きを拘束されて回転する。尚、鍵穴に差し込まれた時に既に当接している場合は、前記鍵が対応する錠の鍵穴に差し込まれた時から当接が始まり、それ以降、前記表示体は前記突起あるいは前記梁に当接され動きを拘束されて回転することになる。いずれであっても、前記表示体が当接されて回転するときに生ずる傾きを利用した前記表示体の表示状態を変更させる前記表示状態変更手段が前記表示体に設けられており、施錠状態あるいは開錠状態を示す表示状態が変更される。【００１４】  また、前記表示体が収容された前記ハウジングには、施錠状態あるいは開錠状態を示す表示状態を外部から確認できる窓が設けられており、施錠状態、開錠状態を手元の前記鍵で確認できる。尚、前記表示状態変更制御手段および前記制御起動手段により、前記鍵が使用されない時や手元にある時に表示状態が変更されることはないが、前記鍵はあらゆる方向になり得るため、前記表示体は前記突起あるいは前記梁に拘束される範囲内で自由に動く。従って、手元で表示状態を確認する時の確認基準方向を定め、前記確認基準方向で表示状態が外部から確認できる位置を所定位置として窓が設けられる。【００１５】  次に、請求項２に記載の発明は、請求項１に記載の表示体の構成において、前記表示体は、施錠状態あるいは開錠状態をそれが移動して停留する２つ位置のいずれに存在するかにより示す所定の重さを持つ移動表示器と前記移動表示器がその中にあって移動停留する空間を持つとともに前記空間の２つの停留位置に施錠状態と開錠状態に対応する表示記号あるいは表示色が付けられ、前記表示体が前記突起あるいは前記梁に動きを拘束されて回転する時に作られる前記表示体の傾きにより前記空間内の前記移動表示器が自重により他方の位置に移動することで表示状態を変更させる表示状態変更手段を構成したことを特徴とするものである。【００１６】  本発明においては、前記鍵を対応する錠の鍵穴に差し込み施錠端あるいは開錠端まで回動させる時、前記表示体は前記突起あるいは前記梁に当接された後は動きを拘束されて前記鍵が施錠端あるいは開錠端に達するまで回転する。この間に、前記表示体が持つ前記空間はシーソーのように動き、前記空間の前記移動表示器が停留する片方は水平状態を経て上昇し、上昇中に前記移動表示器は自重により前記空間の他方に移動し表示状態が変更される。尚、後に詳述するが、前記空間はシーソーのような水平形状とは異なり、移動停留が確実に行われるような形状とされる。【００１７】  また、前記表示体の持つ前記空間の前記移動表示器の２つの停留位置には施錠状態と開錠状態に対応した表示記号あるいは表示色が付けられる。そして、前記ハウジングの前記確認基準方向で前記停留位置が確認できる２つの所定位置に設けられた窓に現れた前記表示記号あるいは前記表示色で施錠状態あるいは開錠状態が確認できる。【００１８】  次に、請求項３に記載の���明は、請求項１に記載の表示体の構成において、前記表示体は、設けられたその軸の方向が前記軸あるいは前記軸受けの方向と一致しその円周上の所定の箇所にその中の一部は前記突起あるいは前記梁が当接するようにした歯が設けられ当該軸に支持された欠歯歯車状の回転表示器を有し、前記回転表示器が２つの保持位置を持つように拘束する板バネが前記表示体に取り付けられるとともに前記回転表示器に施錠状態と開錠状態に対応する表示記号あるいは表示色が付けられ、前記表示体が前記板バネと前記回転表示器を介して前記突起あるいは前記梁に当接されて回転する時に、前記表示体が前記板バネの拘束を押して前記回転表示器を当該の一歯分回転させて前記保持位置を他方に移し表示状態を変更させる表示状態変更手段を構成したことを特徴とするものである。【００１９】  本発明においては、前記鍵を対応する錠の鍵穴に差し込み施錠端あるいは開錠端まで回動させる時、前記鍵が所定角度に達した時に、前記回転表示器にあっては前記歯の１つが、前記表示体にあっては前記回転表示器と前記板バネを介して前記突起あるいは前記梁に当接される。その時から、前記回転表示器は回転が始まり前記板バネを弾性変形させながら拘束されていた回動開始時の保持位置からの離脱が始まる。更に、所定の重さを持つ前記表示体においても動きを拘束されて回転が始まるが、前記表示体の回転半径接線方向の重力成分が前記板バネの弾性変形を加勢することになり、前記鍵が施錠端あるいは開錠端に達するまでに、前記表示体が前記板バネの拘束を押して前記回転表示器を当該の一歯分回転させて前記保持位置を他方に移し表示状態が変更される。【００２０】  また、前記表示体に取り付けられた前記板バネで拘束される前記回転表示器は施錠状態と開錠状態に対応する２つの保持位置を持つとともに前記回転表示器には施錠状態と開錠状態に対応する表示記号あるいは表示色が付けられており、前記ハウジングには前記確認基準方向で前記表示記号あるいは前記表示色が確認できる位置を所定位置とし窓が設けられる。そして、前記窓に現れる前記表示記号あるいは前記表示色で施錠状態あるいは開錠状態が確認できる。【００２１】  次に、請求項４に記載の発明は、請求項１又は請求項２又は請求項３に記載のコンポーネントにおいて、施錠状態あるいは開錠状態を確認する時に、その方向から見ることを促すために、前記コンポーネントの外部にペットやキャラクターなどのフィギュアが取り付けられた構造、あるいは、前記コンポーネントの外部にペットやキャラクターなどの専用に準備されたフィギュアが交換可能なように取り付け取り外しできる構造としたことを特徴とするものである。【００２２】  本発明においては、前記コンポーネントに取り付けられるフィギュアの方向は、前記の手元で表示状態を確認する時の確認基準方向に合わせ、取り付けられた前記フィギュアを正面から見るようにして前記ハウジングに設けられた前記窓を見ることで、施錠状態か開錠状態かを正しく確認できる。【００２３】  表示状態変更制御手段および制御起動手段について説明する。当該制御の目的は、当該鍵の不使用時に身につけている時や手元にある時などにも、不用意に表示状態が変更されないようにすることである。本発明における施錠状態開錠状態の表示状態を変更する手段は、前記軸あるいは前記軸受けに支持された所定の重さの前記表示体が前記突起あるいは前記梁に当接されて回転する時の傾きを利用したものであるが、傾きによる重力の正弦成分（回転半径接線方向成分）が変位を加速させて状態を変更させるものである。従って、当該鍵が施錠あるいは開錠操作に使用されない時に、当該鍵が不定な傾きで所持されている時や手元にある時などに、重力の正弦成分が発生して変位が加速されるような場合に移動が起こらないように、初期状態を保持させることが必要である。この初期状態とは、当該鍵での施錠あるいは開錠操作が完了し引き抜かれる前の状態である。当該鍵での施錠あるいは開錠操作時には、初期状態の保持を解除する制御が必要になり、このために表示状態変更制御手段が設けられている。この制御起動の条件は、当該鍵が対応する錠の鍵穴に回動可能に差し込まれた時であり、これを検出するために、対応する錠の鍵穴周囲の回転部分に保持解除の制御起動手段が設けられている。
【実施例】
【００２４】  本発明に基づく実施例を説明する前に、本発明の対象である一般の鍵、即ち、対応する錠の鍵穴に差し込み右方向あるいは左方向に所定角度の施錠端あるいは開錠端まで、所謂、鍵の仕様であるキー回転角度まで回動させ施錠状態あるいは開錠状態とした後、その位置であるいは差し込み位置に戻して引き抜くことで操作を完了する鍵について、操作時の鍵の動きを説明する。この動きが、本発明の構造に関係する。尚、以下の実施例は、軸、梁で説明するが、軸受け、突起であっても構造に大差はなく実施できる。【００２５】  一般の鍵の鍵穴の奥行方向は、通常、水平方向であり、施錠あるいは開錠のために同じ水平方向に差し込まれた鍵は、前記水平方向に対する垂直面内で、右方向あるいは左方向にキー回転角度まで回動される。このキー回転角度は、大半が、右９０°左９０°あるいは右１８０°左１８０°である。また、鍵を鍵穴に差し込み回動し施錠状態あるいは開錠状態とした後、元の差し込み位置まで戻して鍵を引き抜き操作が完了するものと、元の差し込み位置に戻さずその位置で鍵を引き抜き操作が完了するものとがある。いずれの場合も、鍵穴と鍵穴周囲の回転部分は、鍵が引き抜かれた位置（角度）に静止する。そして、この位置が次の操作の差し込み位置となる。上記の前者の場合は、大半が、静止位置は垂直位置である。上記の後者の場合は、垂直位置から左右に静止位置を持ち、当該静止位置は垂直位置から左右４５°が一般的である。つまり、左４５°の位置から右方向へ９０°あるいは右４５°の位置から左方向へ９０°回動させることになる。尚、前記垂直位置とは、前記の水平方向に対する垂直面とその直行面との交線上を意味し、以降では、この垂直位置上方を鍵側での角度基準０°とし、右方向に何度、左方向に何度といった表現をすることにする。【００２６】  施錠、開錠操作時の鍵の動きを図８により視覚的に説明する。施錠、開錠操作時の鍵と鍵穴の回動は同じであり、図８では鍵穴の動きで示している。また、一般的な鍵として上で説明した静止位置が垂直（０°）でキー回転角度が右１８０°左１８０°、静止位置が垂直でキー回転角度が右９０°左９０°、静止位置が左４５°右４５°の３種類を採り上げ、以下では、垂直１８０°キー、垂直９０°キー、左右４５°キーとそれぞれを呼ぶことにする。また、右方向、左方向のいずれが施錠、開錠のいずれに対応するかが決まっているわけではなく、以下では説明の都合上、右方向を施錠、左方向を開錠としておく。この条件は本発明の構造に何ら影響を与えるものではなく、本発明での施錠状態と開錠状態を示す表示記号などを逆さにすれば済むことである。【００２７】  図８において、状態３０ａから状態３０ｄおよび状態３１ａから状態３１ｄは、垂直１８０°キーに、状態３２ａから状態３２ｄおよび状態３３ａから状態３３ｄは、垂直９０°キーに対応し、状態３４ａから状態３４ｄおよび状態３５ａから状態３５ｄは、左右４５°キーに対応する。同図では、長方形で示す鍵穴の上部に黒点を付けて回転方向を明確にさせ、直線黒矢印で状態の進行を示している。【００２８】  垂直１８０°キーの施錠操作時の鍵の動きを鍵穴の動きで説明する。鍵を差し込んだ状態が状態３０ａ、右方向に回動が始まり��右方向に９０°回動した状態３０ｂ、さらに回動が進行した状態３０ｃを経て、施錠端の状態３０ｄへ至り施錠が完了する。鍵を引き抜くために状態３０ｄから逆の左方向に回動され状態３０ｃ、状態３０ｂを経て元の状態３０ａに戻り鍵が引き抜かれて施錠操作が完了する。尚、垂直１８０°キーの開錠操作時の鍵の動きは状態３１ａから状態３１ｄに示され、上記の説明で、施錠を開錠に、右を左に、番号３０を３１に置き換えればよい。【００２９】  垂直９０°キーの施錠操作時の鍵の動きを説明する。鍵を差し込んだ状態３２ａ、右方向に回動が始まり、右方向に４５°回動した状態３２ｂ、さらに回動が進行した状態３２ｃを経て、施錠端の状態３２ｄへ至り施錠が完了する。そして、鍵を引き抜くために状態３２ｄから逆の右方向に回動され状態３２ｃ、状態３２ｂを経て元の状態３２ａに戻り鍵が引き抜かれて施錠操作が完了する。尚、垂直９０°キーの開錠操作時の鍵の動きは３３ａから３３ｄに示され、上記の説明で、施錠を開錠に、右を左に、番号３２を３３に置き換えればよい。【００３０】  左右４５°キーの施錠操作時の動きを説明する。鍵を差し込んだ状態３４ａ、右方向に回動が始まり、垂直の状態３４ｂ、さらに回動が進行した状態３４ｃを経て施錠端の状態３４ｄに至り施錠が完了する。そして、この位置で鍵が引き抜かれ施錠操作が完了する。尚、左右４５°キーの開錠操作時の鍵の動きは状態３５ａから状態３５ｄに示され、上記の説明で、施錠を開錠に、右を左に、番号３４を３５に換えればよい。【００３１】  図１は、本発明に基づく施錠状態開錠状態表示機能付き鍵の概略図である。本発明に係わる鍵は、挿入部（差し込み部）１ａの後部に一体のツマミ部１ｂを持つ一般の鍵と、それと組となる、鍵穴２ａと鍵の回動時に回転する鍵穴周囲の回転部分２ｂと鍵穴周囲の非回転部分２ｃを持つ一般の錠に対して、挿入部当り１ｃ直後のツマミ部１ｂに、コンポーネント３が挿入部１ａ側を正面とし、取り付け部３ａで固定されたものである。【００３２】  コンポーネント３は、本発明の目的機能である施錠操作あるいは開錠操作に応じて施錠状態開錠状態を表示する機能の実現手段と、当該鍵が対応する錠の鍵穴２ａに挿入されている状態の時に表示状態を変更可能に制御する機能の実現手段を搭載し、取り付け部３ａは、コンポーネント３を所定方向に固定すると同時に、上記の制御機能の実現手段の一部を搭載し、鍵穴周囲の回転部分２ｂには、上記の制御を起動する手段が備えられている。以下に、これら手段を実現した実施例を示す。
【実施例１】
【００３３】  本発明の第１の実施例を説明する。実施例１は、空間の傾きにより自重で空間内を移動して表示状態を変更させることを表示状態変更手段として構成した前記コンポーネントの実施例である。【００３４】  図２は、コンポーネント３を正面から見た時の、ハウジング５に収容される本実施での表示体６の正面図である。同図には表示体６と当接させる梁の位置（８ａ、８ｂ１、８ｂ２、８ｃ１、８ｃ２）も示されている。【００３５】  本発明の表示体６は、軸７に支持されて、軸７が水平方向にある時には、拘束がない限り鉛直面内で重力に従って動くものであるが、実施例１での表示体６は、所定の重さを持つ円筒状の移動表示器１１が転がりながら移動できる、くの字状の表示器移動空間１２を備えたものである。そして、軸７を水平方向とし、当該表示体６に拘束がない状態で、移動表示器１１が停留する表示器移動空間１２の一方が水平より４５°傾き、他方は水平となるように当該表示体６と移動表示器１１の重さが決められる。【００３６】  図３は、当該表示体６が軸７に支持される様子を示した構造図であり、当該表示体６は、図２の右側面の概略図である。図３の梁８は、図２の位置８ａに相当する。【００３７】  本発明の鍵に対する表示状態の変更要件は、回動時に表示状態の変更が不確定な位置で開始されることなく確定位置で開始され表示状態の変更が確実に行われるとともに、元の位置に戻して引き抜く場合は、この逆方向の回動時に表示状態が元に戻らないようにすることである。当該表示体６に当接させる梁８の位置は、上記の表示状態の変更要件を充たすように、鍵の種類に応じて次に述べる位置とされるが、鍵の種類に応じて梁８の位置を変えるだけで当該表示体６を共用することができ、簡易で汎用性のある構造である。このことは製作面で大きな利点となる。【００３８】  当該表示体６に当接させる梁８の位置について説明する。一般の鍵として先述した垂直１８０°キー、垂直９０°キー、左右４５°キーの種類に応じて、ハウジング５の内壁に種類ごとに設けられる梁８の位置は、軸７を水平方向とした時の鉛直上方を当該コンポーネント側での角度基準０°とし、夫々、図２の、基準０°位置８ａ、右９０°−４５°／２位置８ｂ１および左９０°−４５°／２位置８ｂ２、右９０°＋４５°／２位置８ｃ１および左９０°＋４５°／２位置８ｃ２の同一円周上とされる。尚、当該コンポーネントが鍵の長手方向と前記軸７が一致する方向で取り付けられることより、先述の鍵側での角度基準とコンポーネント側での角度基準は一致することになる。【００３９】  当該表示体６を４５°くの字状とし梁８の位置を上記の位置とすることで、キー回転角度の３／４に相当する角度を、表示状態の変更が開始される位置として確定させるとともに、４５°くの字状とすることで、表示状態変更後の元戻りを防止している。図２で説明すると、垂直１８０°キーに対しては、梁８は位置８ａから右方向に９０°回転し上記表示体６に当接し、さらに４５°回転して移動表示器１１の移動が開始する、即ち、表示状態の変更が開始される水平位置に持ち上げられ、そして、キー回転角度まで回転する時に作られる傾きによって自重で他端に転がり移動し、その後も自重で安定した傾きを��ち、移動表示器１１が元戻りすることはない。以下に詳細に説明する。【００４０】  図９は、垂直１８０°キーの施錠操作時の、図１０は、垂直９０°キーの施錠操作時の、図１１は、左右４５°キーの施錠開錠操作時の、当該鍵の動き、当該表示体６の動き、移動表示器１１による表示状態の変更の過程を簡略図で示したものである。白矢印は当該鍵を、くの字状黒太線は当該表示体６を、白丸は移動表示器１１を、黒丸は梁８を示している。【００４１】  図９の状態４０ｄは、先述したキー回転角度の３／４に相当する９０°＋４５°で移動表示器１１が移動開始する状態を示す。そして、同図の状態４０ｆとして施錠端に到達するが、途中で移動表示器１１は移動が完了、即ち、表示状態の変更が完了する。その後、当該鍵を引き抜くため元の位置へ逆方向の回動が始まり、同図の状態４０ｈ以降で梁８による当接は解かれるが、移動表示器１１の自重により当該表示体６は４５°の傾きを安定して保持する。そして、同図の状態４０ｎとして元の位置に戻り当該鍵が引き抜かれて操作が完了する。図示のない開錠操作時の動きに関しては、状態４０ａから状態４０ｎの全ての状態図を左右対称に変換し、上記の説明で施錠を開錠に読み替えればよい。【００４２】  図１０の状態４１ｃは、キー回転角度の３／４に相当する４５°＋４５°／２で移動表示器１１が水平位置まで持ち上げられ移動が開始する状態を示す。そして、同図の状態４１ｄとして施錠端に到達するが、途中で移動が完了、即ち、表示状態変更が完了する。その後、同図の状態４１ｆとして元の位置に戻る。この途中で梁８の当接は解かれるが、移動表示器１１の自重により状態４１ｆに至るまで当該表示体６は４５°の傾きを安定して保持する。尚、開錠操作時の動きに関しても、同図の全ての状態図を左右対称に変換して上記説明での施錠を開錠に読み替えればよい。【００４３】  図１１は左右４５°キーに対する簡略図である。左右４５°キーでは、梁８が設けられる位置の関係で、当該表示体６は既に梁８に当接されており、常に梁８に拘束されて動く。同図の状態４２ａが、当該鍵が施錠操作のため左４５°で差し込まれた状態である。そして、同図の状態４２ｃが、キー回転角度３／４に相当する４５°＋４５°／２で移動表示器１１が水平位置まで持ち上げられた移動開始の状態である。その後、同図の状態４２ｄとして施錠端に到達するが、途中で移動表示器１１の移動は完了、即ち、表示状態の変更が完了して、状態４２ｄで当該鍵が引き抜かれる。また、開錠操作時の動きは、同図の状態４２ｄが開錠操作開始の状態となり、状態４２ｅを経由して、キー回転角度の３／４の角度まで回転した状態４２ｆで表示状態の変更開始の状態となり、同図の状態４２ａとして開錠端に到達するが、途中で表示状態の変更が完了する。【００４４】  以上に、空間の傾きにより自重で空間内を移動して表示状態を変更させることを表示状態変更手段として構成したコンポーネント３に関する実施例１を詳述した。実施例１の構造は、課題の１つであった、簡易で汎用性のある構造であることが理解され、一般の鍵を代表する３種類について、表示状態の変更要件が充たされることも理解された。次に、実施例１における表示状態の確認方法について述べる。【００４５】  実施例１での施錠状態、開錠状態の表示は、移動表示器１１の停留する２つの位置により示され、当該鍵を水平にしてコンポーネント３を正面から見ることを、表示状態の確認基準方向と定めると、コンポーネント側での角度基準に対して、２種類の垂直キーは左右９０°＋４５°、左右４５°キーは左右９０°＋４５°／２の位置となり、コンポーネント３の正面のハウジング５の壁の左右のこの位置に、種類に応じた、あるいは種類共通の大き目の、窓を設ければよい。表示器移動空間１２の停留部分周辺に施錠、開錠に対応した表示記号あるいは表示色を付すことで、前記の左右の窓のいずれかに現れた表示記号あるいは表示色で、施錠状態あるいは開錠状態を確認することができる。【００４６】  コンポーネント３に搭載させるもう一つの機能である表示状態変更制御機能の実施例に関しては、以下に説明する実施例２との共通要素が多いため、実施例２の説明の後に行うことにする。
【実施例２】
【００４７】  本発明の第２の実施例を説明する。実施例２は、板バネで一方の位置に保持された歯車状の表示器を表示体が板バネの拘束を押して他方の保持位置に移して表示状態を変更させることを表示状態変更手段として構成した前記コンポーネントの実施例である。【００４８】  図４は、コンポーネント３を正面から見た時の、ハウジング５に収容される本実施例での表示体６の正面図である。ただし、下記の対向表示体基部２１ｅ（図５参照）を取り外した時である。また、同図には、表示体６と当接させる梁の位置（８ａ、８ｅ１、８ｅ２、８ｆ１、８ｆ２）も示されている。【００４９】  軸７に支持されて、軸７が水平方向にある時には、拘束がない限り鉛直面内で重力に従って動く表示体６の実施例２での構成は、図４に示すように、表示体基部２１と所定の重さを持つ錘体２２とフォーミングされた板バネ２３と欠歯変形歯車状の回転表示器２４とを構成要素としてなる。表示体基部２１には、その中を軸７が通り軸７とは同心の中空突起軸２１ａと、当該基部の上半周辺のはめ合い突起壁２１ｂと支持ピン２１ｃと支持壁２１ｄとが形成されている。板バネ２３は、はめ合い突起壁２１ｂと支持ピン２１ｃと支持壁２１ｄとで保持される。錘体２２は、表示体基部２１に埋め込むなどして固定される。回転表示器２４は、中空突起軸２１ａに通され、下記の対向基部により挟み込まれる。回転表示器２４の歯２４ａと歯２４ｂは梁８との当接のためのもので、歯２４ｃと歯２４ｄと歯２４ｅは板バネ２３の拘束を受けて２つの保持位置を作るためのものである。図４には示していないが、表示体基部２１は、これと同外形で同じ錘体２２のみが取り付けられた、中空突起軸２１ａとはめ合い突起壁２１ｂとで、はめ合い構造となる対向表示体基部２１ｅを持つ（図５参照）。そして、回転表示器２４は略同重量の両基部の中間に収められる構造とされる。このような構造とする理由は、歯２４ａあるいは歯２４ｂと梁８との当接時、当該構造の表示体６に、極力、鉛直面内の力だけが加わるようにするためである。【００５０】  図５は、当該表示体６が軸７に支持される様子を示した構造図であり、当該表示体６は、図４の右側面の概略図である。図５の梁８は、図４の位置８ａに相当する。【００５１】  実施例２での当該表示体６の構造について説明したが、次に、錘体２２の重さと板バネ２３のバネ力の関係および当該表示体６に当接させる梁８の位置に関して説明する。【００５２】  回転表示器２４に設けられている歯は、円周を８等分する４５°の倍数の位置に図４の通りに配置され、当該表示体６として構成され水平方向に支持された時に、回転表示器２４は、その歯２４ａおよび歯２４ｂが、先述した当該コンポーネント側での角度基準（鉛直上方）に対して１８０°の位置で、板バネ２３に保持されるように取り付けられる。そして、錘体２２の重さと板バネ２３のバネ力は、回転表示器２４の歯２４ｂが１８０°の保持位置にある時は当該表示器２４が基準より右４５°／２回転した時に、歯２４ａが１８０°の保持位置にある時は基準より左４５°／２回転した時に、当該表示体６が板バネ２３の拘束を押して、回転表示器２４を他方の保持位置に移すような関係とされる。ただし、図４からわかるように、右回転と左回転とで板バネ２３に対する歯２４ｄの接触位置が異なり、左右とも４５°／２とできない場合は、施錠側を４５°／２とし、開錠側に許容誤差を持たせることが望ましい。【００５３】  次に、ハウジング５の内壁に設ける梁８の位置に関して説明する。一般の鍵の種類として先述した垂直１８０°キー、垂直９０°キー、左右４５°キーに対して、夫々、図４の、基準０°位置８ａ（実施例１と同じ位置）、右９０°位置８ｅ１および左９０°位置８ｅ２、右９０°＋４５°位置８ｆ１および左９０°＋４５°位置８ｆ２の同一円周上とされる。【００５４】  以上の位置関係とすることで、後述するが、表示状態の変更要件が充たされるだけでなく、実施例１と同様に、鍵の種類に応じて梁の位置を変えるだけで当該表示体６を共用でき、簡易で汎用性のある製作面で利点のある構造とできる。【００５５】  図１２は、垂直１８０°キーの施錠操作時の、図１３は垂直９０°キーの施錠操作時の、図１４は左右４５°キーの施錠開錠操作時の、鍵の動き、当該表示体６の動きを表す表示体基部２１の動き、回転表示器２４による表示状態変更の過程を簡略図で示したものである。白矢印は当該鍵を、円周上の黒丸は梁８を示している。尚、板バネ２３の動きは特に重要ではないので省略している。又、軸構造も図４とは異なり、回転表示器２４も軸７に支持された図としているが、いずれの構造でも回転表示器２４は同じ軸中心で回転するため、回転表示器２４の動きの説明には問題はない。【００５６】  先述したが、当該鍵の鍵側での角度基準と当該コンポーネント側での角度基準は一致するため、垂直１８０キーでは、図１２にも示される様に、当該鍵の回動時の角度位置と梁８の角度位置は一致する。対応する錠の鍵穴に差し込まれた同図の状態５０ａから施錠のため右方向への回転が始まる。そして、キー回転角度の４５°手前の状態５０ｄで梁８の当接が開始されるが、この状態まで回転表示器２４は板バネ２３に拘束されて一方の開錠状態の保持位置にある。その後、回転表示器２４と錘体２２を持つ表示体基部２１は、前者は梁８に動きを拘束されて、後者は板バネ２３を介して動きを拘束されて、右方向の回転を始める。そして、錘体２２の回転半径接線方向の重力成分も手伝って、回転表示器２４が角度基準より４５°／２進んだ状態５０ｅで、回転表示器２４は板バネ２３による開錠状態の保持位置から完全に離脱し施錠状態の保持位置に移り、表示状態の変更が完了する。その後、梁８による拘束がなくなった表示体基部２１は、回転表示器２４を施錠状態の位置に安定に保持して、鉛直位置の近傍で軸７に支持されて揺動する。この間に、キー回転角度相当の施錠端に向かう梁８と当接したとしても、鉛直位置の近傍では錘体２２の回転半径接線方向の重力成分が小さく表示状態を変更させるには至らない。当該鍵が同図に示す状態５０ｆとしてキー回転角度相当の施錠端に到達した後、当該鍵を引き抜くための逆方向の回動が始まる。同図の状態５０ｇなどを経て、状態５１ｎとして元の位置に戻り当該鍵が引き抜かれる。この間、梁８は当接位置より離れて行くため表示状態は安定に保持される。尚、梁８が当接している間は、回転表示器２４の回転角度と錘体２２を持つ表示体基部２１の回転角度とは厳密には一致しないが、動きの説明には問題がないため、同図では同じ回転角度として描かれている。図示されていない開錠操作時の動きは、左方向の回動となるから、同図の状態５１ｎから、白矢印および黒丸を左右対称に変換して、状態５０ｇ、状態５０ｆ、状態５０ｅの図に少し注意を払えば、上記と同様の動きが説明できる。【００５７】  図１３は、垂直９０°キーの施錠操作時の動きを示し、キー回転角度の４５°手前の状態５１ｂで梁８の当接が開始される。その後、キー回転角度相当の施錠端の状態を示す状態５１ｄまで進むが、この間での表示状態の変更過程は、上述の垂直１８０°キーと同じである。そして、逆方向に回動されて状態５１ｆとして元の位置に戻るが、この間、表示状態が安定に保持されることも、垂直１８０°キーと同様である。開錠操作時の動きも、同図に少し注意を払えば同様の動きが説明できる。【００５８】  図１４は、左右４５°キーの施錠開錠操作時の動きを示したものである。状態５２ａは施錠操作のために、当該鍵が基準角度より左４５°で差し込まれた状態である。そして右方向に回動され、キー回転角度の４５°手前、即ち、基準０°の状態５２ｂで梁８に当接され、その後、キー回転角度相当の施錠端の状態を示す状態５２ｄまで進むが、この間での表示状態の変更過程は、上述の垂直１８０°キーと同じである。状態５２ｄで当該鍵が引き抜かれて施錠操作が完了する。開錠操作に対しては、当該鍵が基準角度より右４５°で差し込まれた状態５２ｄから、状態５２ｅ、状態５２ｆを経由して、キー回転角度相当の開錠端の状態を示す状態５２ａに至るが、この間での表示状態の変更過程は、上述の垂直１８０°キーと同じである。【００５９】  以上に、板バネで一方の位置に保持された歯車状の表示器を表示体が板バネの拘束を押して他方の保持位置に移して表示状態を変更させること表示状態変更手段として構成した前記コンポーネントに関する実施例２を詳述した。実施例２の構造は、実施例１と同様に、課題の１つであった簡易で汎用性のある構造であることが理解され、一般の鍵を代表する３種類について、表示状態の変更要件が充たされることも理解された。以下に、実施例２における表示状態の確認方法について述べる。【００６０】  実施例２での施錠状態、開錠状態の表示は、回転表示器２４の２つの保持位置により示され、当該鍵を水平にしてコンポーネント３を正面から見ることを、表示状態の確認基準方向と定めると、コンポーネント側での角度基準に対しては、回転表示器２４の歯２４ａあるいは歯２４ｂが１８０°の位置である。尚、この位置は、一般の鍵を代表する３種類のいずれに対しても同じである。そして、回転表示器２４の正面側（コンポーネント３の正面側）の回転軸を中心とした円周上で歯２４ａおよび歯２４ｂの中心線との交点位置に、施錠あるいは開錠に対応した表示記号あるいは表示色を付け、コンポーネント３の正面のハウジング５の壁には同円周上で１８０°位置に窓を設ければよい。尚、図５からわかるように、対向表示体基部２１ｅに対しても同位置に貫通した穴を設けておく必要がある。これらにより、ハウジング５の前記窓を通して施錠状態あるいは開錠状態を確認することができる。更��、回転表示器２４の同円周上には４５°間隔で施錠、開錠に対応する表示記号あるいは表示色を交互に付け、ハウジング５および対向表示体基部２１ｅには同円周上に９０°間隔で窓を設けるようにすれば、４箇所の窓を通して施錠状態あるいは開錠状態を確認することができ視認性がよくなる。【００６１】  最後に、課題の一つである表示状態変更制御手段を実現する実施例を述べる。【００６２】  表示状態変更制御機能の必要性に関しては先述した通りである。また、この機能の実現に関しても先述した通り、当該鍵での施錠あるいは開錠操作が完了し当該鍵が引き抜かれる前に完了時の状態を保持させて（この状態保持は、施錠状態あるいは開錠状態確認のために、不可欠である）、且つ、施錠あるいは開錠操作のため当該鍵が対応する錠の鍵穴に回動可能に差し込まれた時に、その保持状態を解除させる手段を設ける必要がある。先の実施例１あるいは実施例２からもわかるように、当該鍵の表示体６は、施錠あるいは開錠操作が完了し当該鍵が引き抜かれた後も、梁８には拘束されるが、ハウジング５内の軸７に支持されて自由に動くことができる。従って、当該鍵が引き抜かれるまでに、表示体６を何らかの方法で強制的にハウジング５に保持するようにすればよい。また、上述の通り、当該鍵が回動可能に差し込まれた時に保持を解除すればよい。つまり、当該鍵が対応する錠の鍵穴に回動可能に差し込まれた時、および、回動操作が完了し鍵穴から引き抜かれる時を検出し、保持解除と強制保持の制御を行えばよい。この保持制御と差し込まれた時（状態）および引き抜かれる時（状態）の検出（以下では、この検出を、当該条件検出と表現する）を、出来る限り簡易な構造で実現した実施例を以下に説明する。【００６３】  当該制御手段および当該条件検出手段の構造は、先の実施例１、実施例２に対してほとんど同じ構造とすることができるが、実施例１では移動表示器１１の強制保持あるいは移動抑止が必要となる点が異なる。構造の共通化の観点から移動抑止（後に説明する）を採用し、主に、実施例１の表示体６を対象にして説明を進める。【００６４】  表示状態変更制御手段および制御起動手段が構成されたコンポーネント３の実施例を図６、図７に示す。いずれの図も、表示状態変更制御手段の一部が搭載されるコンポーネント３の取り付け部３ａも示し、図６は、当該コンポーネント３の正面図、図７は、右側の側面図である。【００６５】  図７は、強制保持状態を示し、受け台２５ａにその一端が固定された圧縮バネ２５はアーム２８の上部がその背面に当該バネを避けるように外周上に固定された表示体保持環２６を押し、表示体６をストッパー２６ａに当たる位置に強制保持している。これらの構成要素は、その中心部を軸７が貫通している。表示体保持環６の外周上には高さの異なる張りがあり、略上半分は高さを高くし、表示体６の上方への回転を抑止し、下半分は高さを低くし、表示体６の背面に設けられた円弧上の切り込み２７に侵入し、移動表示器１１の他端への移動を抑止している。これにより表示状態は保持されている。【００６６】  次に、強制保持状態の解除について説明する。２箇所に曲がりを持つアーム２８はアーム軸２８ａに支持され、アーム２８の上部は、���述したように、表示体保持環６の背面に固定され、アーム２８の下部は、コンポーネント３の取り付け部３ａに収まり、その先端には磁石によって吸引される吸引体２９ａが貼り付けられている。そして、当該鍵が対応する錠の鍵穴周囲の回転部分２ｂには、吸引体２９ａの貼り付け部と対向する位置に磁石２９が貼り付けられ、図６に示すように、取り付け部３ａには吸引穴２９ｂが設けられている。従って、当該鍵が対応する錠の鍵穴に回動可能に差し込まれた時、磁石２９が吸引体２９ａを吸引することでアーム２８が回転し、圧縮バネ２５を圧縮しながら表示体保持環２６を引き戻し、表示体６の強制保持状態が解除される。【００６７】  当該鍵での施錠あるいは開錠操作が完了し引き抜く時には、吸引体２９ａの貼り付け部が磁石２９から離れ、当該鍵が完全に引き抜かれるまでに、圧縮バネ２５により表示体保持環２６は元の強制保持状態の位置に戻ることになる。【００６８】  以上に説明したように、コンポーネント３およびその取り付け部３ａに設けられた、圧縮バネ２５と表示体保持環２６とアーム２８によって表示状態変更制御手段が構成され、対応する錠の鍵穴周囲の回転部分２ｂに設けられた磁石２９が制御起動手段を構成することになる。また、構造においても、簡易で汎用性があり、構成要素の大半がコンポーネント３に収容され、対応する錠の鍵穴周囲の回転部分２ｂに磁石２９を貼り付けるのみである。鍵に磁石を接近させるようなことは、故意でない限り、通常の行為ではありえず、以上の構成によって、当該鍵の不使用時に身に付けている時や手元にある時などにも、不用意に表示状態が変更されることはない。尚、上記の吸引体２９ｂは、磁石そのものでもよく、アーム２８の下部の２つの吸引体貼り付け部には、互いに逆極性の磁石を貼り付け、鍵穴周囲の回転部分２ｂには対応する吸引極性の磁石を貼り付けるようにしてもよい。仮に、当該鍵に磁石を接近させるようなことがあっても、２つの吸引体２９ｂがともに吸引される逆極性の磁石が、吸引穴２９ｂに接近することは、まず起こりえない。【００６９】  また、実施例２に対する当該手段の実現に関しては、ほぼ同じ構造が採用できるが、異なる点は、上記の表示体保持環２６が、環ではなく、実施例２での表示体６の形状である８角形とされることである。外周上の張りの高さは変える必要はなく、図５の表示体基部２１の背面に、８角形の形状の切り込みが施されることになる。これにより、上述の実施例１と同じ制御が可能となる。【００７０】  最後に、請求項４の実施例に関して触れるが、この実施形態に関しては、特に図を用いて説明する必要はない。当該鍵での表示状態の確認基準方向が、当該鍵を水平方向とし、コンポーネント３を正面から見る方向であることから、このことを促すために、コンポーネント３の上部にフィギュアが取り付けられる。コンポーネント３の上部には全く制約がなく、犬などが、顔を正面にして寝そべったフィギュアなどがよい。確認基準方向を促す目的は勿論のことであるが、当該鍵に対する愛着、当該鍵を大切にする気持ちが生まれよう。
【発明の効果】
【００７１】  本発明の施錠状態開錠状態表示機能付き鍵は、一般に使用されている鍵に対して、鍵の施錠、開錠による安全、安心を確保するという本来機能を何ら損なうことなく、その鍵を使用すれば、その場を離れた後も、手元で施錠状態か開錠状態かを確認できる表示機能が付加されたものである。従って、施錠したかどうかの記憶が曖昧な場合でも、その鍵の表示状態を見ることで、施錠状態か開錠状態かを確認でき不安を解消するという効果を発揮する。
【００７２】  請求項２の発明に係わる実施例１あるいは請求項３の発明に係わる実施例２で詳述した通り、いずれにおいても、簡易で汎用性のある構造であり、製作面でも大きな利点となる。一般の鍵に対しても適用が容易であり、施錠状態あるいは開錠状態の表示状態の変更を必要な時にのみ可能にする製作面でも有利な簡易な制御構造を採用している。この制御構造により、当該鍵を不使用時に身につけている時や手元にある時などにも、不用意に表示状態が変更されてしまうことがない。
【００７３】  請求項４の発明を採用すれば、表示状態を確認する場合、当該コンポーネントの上に取り付けられたフィギュアを正面にみることで、正しく表示状態を確認することができる。フィギュアが取り付けられることで、当該鍵に対する愛着心、大切心が生まれるといった効果を引き出すこともできる。
【図面の簡単な説明】
【００７４】
【図１】  本発明に係わる実施例での、施錠状態開錠状態表示機能付き鍵の概略図である。
【図２】  本発明の実施例１に係わる表示体の構造を示す正面図である。
【図３】  本発明の実施例１に係わる表示体の支持構造を示す図である。
【図４】  本発明の実施例２に係わる表示体の構造を示す正面図である。
【図５】  本発明の実施例２に係わる表示体の支持構造を示す図である。
【図６】  本発明の実施例１に係わるコンポーネントの表示状態変更制御構造を示す正面図である。
【図７】  本発明の実施例１に係わるコンポーネントの表示状態変更制御構造を示す右側面図である。
【図８】  一般の鍵の、施錠操作時、開錠操作時の鍵の動きを鍵穴の動きで示す図である。
【図９】  本発明の実施例１に係わる垂直１８０°キーの表示状態変更過程を示す図である。
【図１０】  本発明の実施例１に係わる垂直９０°キーの表示状態変更過程を示す図である。
【図１１】  本発明の実施例１に係わる左右４５°キーの表示状態変更過程を示す図である。
【図１２】  本発明の実施例２に係わる垂直１８０°キーの表示状態変更過程を示す図である。
【図１３】  本発明の実施例２に係わる垂直９０°キーの表示状態変更過程を示す図である。
【図１４】  本発明の実施例２に係わる左右４５°キーの表示状態変更過程を示す図である。
【符号の説明】
【００７５】１ａ    挿入部
１ｂ    ツマミ部
１ｃ    挿入部当り
２ａ    鍵穴
２ｂ    鍵穴周囲の回転部分
２ｃ    鍵穴周囲の非回転部分
３      コンポーネント
３ａ    取り付け部
５      ハウジング
６      表示体
７      軸
８      梁
８ａ、８ｂ１、８ｂ２、８ｃ１、８ｃ２  梁の位置
８ｄ１、８ｄ２、８ｅ１、８ｅ２  梁の位置
１１    移動表示器
１２    表示器移動空間
２１    表示体基部
２１ａ  中空突起軸
２１ｂ  はめ合い突起壁
２１ｃ  支持ピン
２１ｄ  支持壁
２１ｅ  対向表示体基部
２２    錘体
２３    板バネ
２４    回転表示器
２４ａ、２４ｂ、２４ｃ、２４ｄ、２４ｅ  回転表示器の歯
２５    圧縮バネ
２５ａ  受け台
２６    表示体保持環
２６ａ  ストッパー
２７    切り込み
２８    アーム
２８ａ  アーム軸
２９    磁石
２９ａ  吸引体
２９ｂ  吸引穴
３０ａ〜３５ｄ  状態
４０ａ〜４０ｎ、４１ａ〜４１ｆ、４２ａ〜４２ｆ  状態
５０ａ〜５０ｎ、５１ａ〜５１ｆ、５２ａ〜５２ｆ  状態
【図１】
2007113369.tif 000002
【図２】
2007113369.tif 000003
【図３】
2007113369.tif 000004
【図４】
2007113369.tif 000005
【図５】
2007113369.tif 000006
【図６】
2007113369.tif 000007
【図７】
2007113369.tif 000008
【図８】
2007113369.tif 000009
【図９】
2007113369.tif 000010
【図１０】
2007113369.tif 000011
【図１１】
2007113369.tif 000012
【図１２】
2007113369.tif 000013
【図１３】
2007113369.tif 000014
【図１４】
2007113369.tif 000015